(57)【特許請求の範囲】
【請求項１】
像担持体に担持された画像を転写材へ静電的に転写する転写部材と、
前記転写部材の電流電圧特性を算出する算出手段と、
前記算出手段で算出された電流電圧特性に基づいて、前記転写部材に対する印加電圧を決定し印加する電圧印加手段と、を有し、
前記算出手段は、
高圧トランスと、
前記高圧トランスの一次側に接続されるとともにスイッチングを行うトランジスタと、
前記トランジスタのスイッチング動作を制御するスイッチング信号を出力するとともに、前記高圧トランスの二次側における電流値および電圧値がフィードバックされている信号制御手段とを備え、
非通紙時に前記転写部材に対し、
前記信号制御手段にフィードバックされる前記高圧トランスの二次側における電流値に基づいて、前記信号制御手段によるスイッチング信号の制御を変更して複数の異なる大きさの定電流を印加するとともにその時々における電圧値を計測し、その計測結果である電圧値とその時の印加電流値とに基づき前記転写部材の電流電圧特性を算出することと、
前記信号制御手段にフィードバックされる前記高圧トランスの二次側における電圧値に基づいて、前記信号制御手段によるスイッチング信号の制御を変更して複数の異なる大きさの定電圧を印加するとともにその時々における電流値を計測し、その計測結果である電流値とその時の印加電圧値とに基づき前記転写部材の電流電圧特性を算出することとをともに行うものであることを特徴とする画像形成装置。
【請求項２】
請求項１に記載する画像形成装置において、
前記算出手段は、これらのフィードバック信号に基づくスイッチング信号の制御を変更することにより、定電流制御と定電圧制御とを相互に切り換えることを特徴する画像形成装置。
【請求項３】
請求項１または請求項２に記載する画像形成装置において、
前記算出手段は、前記電圧印加手段をも兼ねていることを特徴とする画像形成装置。
【請求項４】
請求項１から請求項３までのいずれか１つに記載する画像形成装置において、
前記算出手段は、前記転写部材に対し定電流または定電圧を印加するときに、その印加電流に対する電圧値または電流値の計測を複数回行って平均値を算出し、その平均値をそのときの電圧値または電流値とすることを特徴とする画像形成装置。
【発明の詳細な説明】
【０００１】
【発明の属する技術分野】
本発明は、複写機やプリンタ等に用いられる画像形成装置に関する。さらに詳細には、像担持体上に担持された画像を転写材に転写する際、常に適切な転写能を得ることができる画像形成装置に関するものである。
【０００２】
【従来の技術】
像担持体上に形成された画像を転写材に転写し、画像が転写された転写材を定着手段によって定着固定することにより出力画像を得る画像形成装置が、従来から広く実用されている。この種の画像形成装置において、良好な出力画像を得るためには、安定した転写能を確保することが必要である。そこで、転写材への転写を行うための転写部材に対し印加する電圧を適正に制御するＡＴＶＣ（Active Transfer Voltage Control）が行われている。このＡＴＶＣを行うことにより、転写部材の抵抗に応じた転写電圧が印可され、その結果として適切な転写電流が転写部材に流れる。従って、安定した転写能が確保される。
【０００３】
【発明が解決しようとする課題】
しかしながら、上記した従来の技術では、適正な転写能を確保することができないおそれがあるという問題があった。なぜなら、従来の技術では、転写部材の電流電圧特性を検出することができなかったからである。ここで、図１０に示すように、転写部材の電流電圧特性がＬ１からＬ２へと変化した場合について考察する。なお、転写部材の電流電圧特性は、転写部材の耐久変化やロットばらつき、あるいは湿度などによって変化する。
【０００４】
ＡＴＶＣを行う際の転写部材の抵抗検出に使用される定電流値Ｉｒには、最も多用される通紙条件（通常は普通紙）における最適電流値よりも若干大きめの電流値が使用されるのが一般的である。なぜならＡＴＶＣは、通常、非通紙状態で行われるためである。すなわち、転写時つまり通紙時よりも非通紙時の方が、転写部材には多めの電流が流れるからである。そして、ＡＴＶＣ測定時に測定された電圧Ｖｒに基づき、予め設定された転写電圧テーブルを用いて、普通紙、厚紙、はがき等の通紙時における最適な転写電圧を決定している。例えば、普通紙に対して転写電圧Ｖが設定されると、転写部材には転写電流Ｉが流れることになる。なお、この転写電圧テーブルは、製品開発時における転写部材の電流電圧特性に基づいて決定されるものである。
【０００５】
そのため、転写部材の耐久変化や、湿度などの環境変化に従い、製品開発時における転写部材の電流電圧特性が変化（電流電圧特性がＬ１からＬ２へと変化）した場合であっても、上記した転写電圧テーブルを用いて転写電圧が設定される。従って、上記した普通紙に対する適正な転写電流Ｉを得るためには、転写電圧Ｖ2 を印加する必要があるにも関わらず、転写部材には転写電圧Ｖが印加される。その結果、転写部材には適正な電流Ｉよりも小さい電流Ｉ2 が流れる。すなわち、転写部材に適正な転写電流が流れない。このために従来の技術では、適正な転写能を確保することができなかったのである。
【０００６】
そこで、本発明は上記した問題点を解決するためになされたものであり、転写時に常に適切な転写電流を流すことができ、これにより画像劣化の少ない良好な画像を得ることができる画像形成装置を提供することを課題とする。
【０００７】
【課題を解決するための手段】
上記した課題を解決するためになされた本発明に係る画像形成装置は、像担持体に担持された画像を転写材へ静電的に転写する転写部材と、転写部材の電流電圧特性を算出する算出手段と、算出手段で算出された電流電圧特性に基づいて、転写部材に対する印加電圧を決定し印加する電圧印加手段と、を有することを特徴とするものである。ここで、算出手段は、非通紙時に転写部材に対し複数の異なる大きさの定電流を印加し、その時々における電圧値を計測して得られる計測結果に基づき転写部材の電流電圧特性を算出するようにすればよい。あるいは、非通紙時に転写部材に対し複数の異なる大きさの定電圧を印加し、その時々における電流値を計測して得られる計測結果に基づき転写部材の電流電圧特性を算出するようにしてもよい。
【０００８】
この画像形成装置では、算出手段により、転写部材の電流電圧特性が算出される。具体的には、算出手段により、非通紙時に転写部材に対し複数の異なる大きさの定電流が印加され、その時々における各電圧値が計測される。そして、それらの計測結果に基づき転写部材の電流電圧特性が算出される。または、算出手段により、非通紙時に転写部材に対し複数の異なる大きさの定電圧が印加され、その時々における各電流値が計測されて、それらの計測結果に基づき転写部材の電流電圧特性が算出される。
【０００９】
このようにして算出手段によって転写部材の電流電圧特性が算出されると、電圧印加手段により、算出手段で算出された電流電圧特性に基づき転写部材に対する印加電圧が決定されて印加される。なお、電圧印加手段において印加電圧を決定する際に、算出手段で算出された電流電圧特性の他に通紙条件など他の条件を考慮してもよい。これにより、より精度よく印加電圧を決定することができるからである。このように転写部材の電流電圧特性が算出されるため、転写部材の耐久変化やロットばらつき、あるいは湿度などによって転写部材の電流電圧特性が変化した場合であっても、必要な転写電流を転写部材に流すことができるような印加電圧が転写部材に印加される。これにより、転写時に常に適切な転写電流を流すことができるので画像劣化の少ない良好な画像が得られる。
【００１０】
本発明に係る画像形成装置においては、算出手段は、転写部材に対し定電流を印加するときに、その印加電流に対する電圧値の計測を複数回行って平均値を算出し、その平均値をそのときの電圧値とすることが望ましい。あるいは、算出手段は、転写部材に対し定電圧を印加するときに、その印加電圧に対する電流値の計測を複数回行って平均値を算出し、その平均値をそのときの電流値とすることが望ましい。このようにすることにより、精度よく転写部材の電流電圧特性を算出することができるからである。
【００１１】
また、本発明に係る画像形成装置においては、算出手段は、高圧トランスと、高圧トランスの一次側に接続されるとともにスイッチングを行うトランジスタと、トランジスタのスイッチング動作を制御するスイッチング信号を出力するとともに、高圧トランスの二次側における電流値および電圧値がフィードバックされている信号制御手段とを備え、信号制御手段にフィードバックされる高圧トランスの二次側における電流値あるいは電圧値のいずれかに基づいて、信号制御手段によるスイッチング信号の制御を変更して複数の異なる大きさの定電流あるいは定電圧を出力することにより、転写部材の電流電圧特性を算出するようにしている。
【００１２】
この画像形成装置では算出手段において、高圧トランスの一次側に接続されたトランジスタのベースに、信号制御手段から出力されるスイッチング信号が入力されている。そして、このスイッチング信号に基づきトランジスタのスイッチング動作が制御されている。また、信号制御手段には、高圧トランスの二次側における電流値および電圧値がフィードバックされている。従って、このフィードバック信号に基づきスイッチング信号を制御することにより、算出手段からの出力制御が行われる。
【００１３】
具体的には、信号制御手段に高圧トランスの二次側における電流値がフィードバックされた場合には、この電流フィードバック信号に基づきスイッチング信号が制御されて算出手段の出力制御が定電流制御となる。一方、信号制御手段に高圧トランスの二次側における電圧値がフィードバックされる場合には、この電圧フィードバック信号に基づきスイッチング信号が制御されて算出手段の出力制御が定電流制御となる。さらに、スイッチング信号の出力を変更することにより、算出手段から出力される定電流値あるいは定電圧値が変更される。従って、算出手段の出力として、複数の異なる大きさの定電流値あるいは定電圧値を出力することができる。その結果として、複数の条件下で転写部材における電流値と電圧値との関係を計測することができる。このため、転写部材の電流電圧特性を精度よく算出することができる。
【００１４】
そして、本発明に係る画像形成装置においては、算出手段は、これらのフィードバック信号に基づきスイッチング信号の制御を変更することにより、定電流制御と定電圧制御とを相互に変更するのがより望ましい。
【００１５】
このように高圧トランスの二次側における電流値および電圧値を、ともに信号制御手段へフィードバックすることにより、算出手段において定電圧制御あるいは定電流制御のいずれをも行うことができる。すなわち、フィードバック信号として電流値を選択した後に電圧値を選択すると、算出手段における出力制御を定電流制御から定電圧制御に変更することができる。また、フィードバック信号として電圧値を選択した後に電流値を選択すると、算出手段における出力制御を定電圧制御から定電流制御に変更することができる。このため、定電流回路と定電圧回路とを別々に設ける必要がない。
【００１６】
従って、本発明に係る画像形成装置においては、算出手段が、電圧印加手段をも兼ねることもできる。これにより、装置構成が簡略化される。
【００１７】
【発明の実施の形態】
以下、本発明に係る画像形成装置を具体化した最も好適な実施の形態について図面に基づいて詳細に説明する。本実施の形態は、電子写真方式のコピー機として本発明を具体化したものである。
【００１８】
本実施の形態に係るコピー機の主要部を図１に示す。コピー機には、矢印Ａ方向に回転駆動される円筒状の感光体ドラム１４が配置されている。この感光体ドラム１４の周囲には、その回転方向に沿って順に、感光体ドラム１４の表面を均一帯電させる帯電装置１７と、均一帯電された感光体ドラム１４の表面に露光して各色ごとの静電潜像を形成する露光装置１６と、感光体ドラム１４の表面に形成された各色ごとの静電潜像をイエロートナー、マゼンタトナー、シアントナー、ブラックトナーでそれぞれ現像してトナー画像にする現像装置１５Ｙ，１５Ｍ，１５Ｃ，１５Ｋと、転写後に感光体ドラム１４上に残留したトナーを除去するクリーナー９とが設けられている。
【００１９】
また、感光体ドラム１４の下方には、複数のローラに巻き掛けられて矢印Ｂ方向に回転駆動される無端状の中間転写ベルト１２が配置されている。この中間転写ベルト１２は、ポリカーボネート等の樹脂シート材で形成されたものであり、その表面電気抵抗が１０5 〜１０12（Ω／ｃｍ2 ）となるようにカーボンブラックが分散されている。そして、この中間転写ベルト１２の一部分が感光体ドラム１４に接触して、一次転写部１８が形成されている。この一次転写部１８において、感光体ドラム１４の表面に形成された各色トナー画像が、中間転写ベルト１４上に順次一次転写されていき、重ね合わせトナー画像が形成されるようになっている。なお、中間転写体はベルト形状のものに限らず、他の形状のもの、例えばドラムやローラであってもよい。
【００２０】
さらに、中間転写ベルト１２を支持する１つのローラ１３との間に中間転写ベルト１２を挟むようにして転写ローラ１１が配置され、二次転写部１９が形成されている。そこで、この二次転写部１９の拡大図を図２に示す。転写ローラ１１は、１０5 〜１０12（Ω／ｃｍ2 ）の抵抗を有する半導電性の部材であり、二次転写時には高圧電源２０によりトナーとは逆極性の電圧が印加されるようになっている。これにより、複写機の給紙ユニットから矢印Ｃ方向に沿って搬送されてきた複写用紙１０にトナーとは逆極性の表面電位が発生して、中間転写ベルト１２上に形成された重ね合わせトナー画像の転写ができるようになっている。
【００２１】
続いて、転写ローラ１１に接続された高圧電源２０について図３を用いて説明する。高圧電源２０は、図３に示すように、２４Ｖ電源に接続された高圧トランス２１と、高圧トランス２１の一次側に接続されたトランジスタ２２と、複数の抵抗、増幅器、およびツェナーダイオード等から構成されている。また、高圧電源２０は、コピー機の制御を統括するＣＰＵ２３に接続されている。そして、高圧電源２０に対してＣＰＵ２３からスイッチング信号ＳＷが出力され、それがトランジスタ２２のベースに入力されている。一方、高圧電源２０からＣＰＵ２３に対して高圧トランス２１の二次側の電流値および電圧値が検出され、電流フィードバック信号Ｉｆｂおよび電圧フィードバック信号ＶｆｂがそれぞれＡ／Ｄ変換入力に入力されている。これにより、ＣＰＵ２３は転写ローラ１１における電流および電圧を計測することができるようにもなっている。
【００２２】
そして、ＣＰＵ２３が電流フィードバック信号Ｉｆｂおよび電圧フィードバック信号Ｖｆｂに基づきスイッチング信号ＳＷの出力を制御することにより、高圧電源２０から転写ローラ１１に印加される電圧または電流の大きさが調整されるようになっている。ここで、ＣＰＵ２３は電流フィードバック信号Ｉｆｂに基づきスイッチング信号ＳＷを制御することにより、高圧電源２０の出力制御を定電流制御で行う。一方、ＣＰＵ２３は電圧フィードバック信号Ｖｆｂに基づきスイッチング信号ＳＷを制御することにより、高圧電源２０の出力制御を定電圧制御で行う。すなわち、図３に示す回路を構成することにより、従来のように定電流回路と定電圧回路とを併有する必要がなくなる。また、ＣＰＵ２３によってスイッチング信号ＳＷの出力を制御することにより、複数の異なる大きさの定電流あるいは定電圧を出力することができる。
【００２３】
次に、上記のように構成されたコピー機の動作について説明する。コピーが開始されると、原稿の画像情報がスキャナ等で読み取られ画像形成を行うための画像信号が生成される。また、帯電装置１７により、感光体ドラム１４の表面が一様に帯電させられる。そして、露光装置１６により各色ごとの画像信号に基づき感光体ドラム１４上へ各色ごとの静電潜像の書き込みが行われる。そして、これらの静電潜像は、現像装置１５Ｙ，１５Ｍ，１５Ｃ，１５Ｋによりそれぞれ現像されて各色のトナー画像とされる。なお、感光体ドラム１４上への各色のトナー画像の形成は、Ｙ，Ｍ，Ｃ，Ｋの順に行われる。
【００２４】
そして、各色のトナー画像は一次転写部１８へと搬送され、そこで中間転写ベルト１２上に順次重畳転写される。これで、中間転写ベルト１２上に重ね合わせトナー画像が形成される。この重ね合わせトナー画像は、二次転写部１９に搬送されて、そこで転写ローラ１１により、給紙ユニットから供給された複写用紙上に転写される。その後、複写用紙上に転写されたトナー画像は、加熱及び加圧により印刷用紙に定着される。そして、定着後の複写用紙は機外へ排出され、これで１枚分のコピーが終了する。
【００２５】
ここで、本発明の特徴点である転写ローラ１１へ印加する転写電圧の設定制御について図４を用いて説明する。まず、コピー機の電源が投入されると各デバイスの予備回転が開始される（Ｓ１）。この予備回転中に、二次転写部１９の安定化制御の他に、定着装置の余熱、現像装置１５Ｙ，１５Ｍ，１５Ｃ，１５Ｋの濃度制御、および中間転写ベルト１２の印加電圧制御などが行われる。
【００２６】
次いで、転写ローラ１１の電流電圧特性を推定するために、第１の定電流Ｉr1が転写ローラ１１に印加される。すなわち、ＣＰＵ２３により高圧電源２０が定電流制御されて、第１の定電流Ｉr1が転写ローラ１１に印加される。そして、このときの転写ローラ１１の電圧Ｖr1が電圧フィードバック信号Ｖｆｂを利用してＣＰＵ２３により測定される（Ｓ２）。なお、電流Ｉr1としては、実際の通紙時に転写ローラ１１に流れる電流の最小値付近の値を設定すればよい。具体的には、１０±５μＡ程度とすればよい。この転写ローラ１１の電圧Ｖr1の測定は、転写ローラ１１を回転させた状態で複数回行われる。そしてＣＰＵ２３により、それらの計測値の平均が算出されてその平均値が第１の計測電圧Ｖr1とされる。
【００２７】
さらに、第２の電流Ｉr2が転写ローラ１１に印加される。すなわち、ＣＰＵ２３により高圧電源２０が定電流制御されて、第２の定電流Ｉr2が転写ローラ１１に印加される。そして、このときの転写ローラ１１の電圧Ｖr2が電圧フィードバック信号Ｖｆｂを利用してＣＰＵ２３により測定される（Ｓ３）。なお、電流Ｉr2としては、実際の通紙時に転写ローラ１１に流れる電流の最大値付近の値を設定すればよい。具体的には、２５±５μＡ程度とすればよい。この転写ローラ１１の電圧Ｖr2の測定も上記と同様、転写ローラ１１を回転させた状態で複数回行われる。そしてＣＰＵ２３により、それらの計測値の平均が算出されてその平均値が第２の計測電圧Ｖr2とされる。
【００２８】
次に、Ｓ２とＳ３とで得られた測定結果に基づいて、転写ローラ１１の電流電圧特性（傾きａ）が算出される（Ｓ４）。なお、本実施の形態では、電流と電圧の関係を２点のみ測定して、転写ローラ１１の電流電圧特性を算出しているが、測定点を増やすことにより、より精度よく電流電圧特性を算出することができる。また、本実施の形態では、転写ローラ１１に定電流を印加してそのときの電圧を計測して電流電圧特性を算出しているが、転写ローラ１１に定電圧を印加してそのときの電流を電流フィードバック信号Ｉｆｂを利用して計測し電流電圧特性を算出するようにしてもよい。
【００２９】
そして、転写ローラ１１の電流電圧特性（傾きａ）が算出されると、その傾きａの大きさに従い、検出電圧と通紙条件とに基づき転写電圧を決定する転写テーブルが１つ選択される。具体的には、傾きａがａ＞１５０である場合には、図５に示す転写テーブルＴ１が選択される（Ｓ５）。また、傾きａがａ＝１００である場合には、図６に示す転写テーブルＴ２が選択される（Ｓ６）。そして、傾きａが１００＜ａ≦１５０である場合には、図７に示す転写テーブルＴ３が選択される（Ｓ７）。このようにして転写テーブルが選択されると、選択された転写テーブルに基づき通紙条件ごとに転写電圧が決定される（Ｓ８）。
【００３０】
なお、図５〜図７には代表的な通紙条件として用紙の種類のみを記載しているが、その他に温度、湿度、および用紙サイズ等によって転写テーブルを細分化してもよい。転写テーブルを細分化することにより、転写電圧をより詳細に設定することができるからである。また、上記した転写電圧の設定制御は、コピー機の電源が投入された時以外にも、転写ローラの電流電圧特性が変化するおそれがある場合、例えばジャム回復後、カートリッジ交換後、通紙枚数が所定値に達した時、および温度・湿度が所定値以上変化した時などに実行される。
【００３１】
従って、図８に示すように、転写ローラ１１の電流電圧特性がＬ１からＬ２に変化した場合には、図４に示すサブルーチンが実行される。すなわち、第１の定電流Ｉr1が転写ローラ１１に印加されて、このときの転写ローラ１１の電圧Ｖr12が測定される（Ｓ２）。さらに、第２の電流Ｉr2が転写ローラ１１に印加されて、このときの転写ローラ１１の電圧Ｖr22が測定される（Ｓ３）。そうすると、Ｓ２とＳ３とで得られた測定結果に基づいて、転写ローラ１１の電流電圧特性Ｌ２の傾きａが算出される（Ｓ４）。次いで、算出された傾きａの大きさに従い、転写テーブルＴ１〜Ｔ３の中から電流電圧特性Ｌ２に合ったものが選択される（Ｓ５〜Ｓ７）。そして、検出電圧Ｖr1に基づき選択された転写テーブルによって、転写ローラ１１へ印加する転写電圧が通紙条件に応じて決定される（Ｓ８）。
【００３２】
このように本実施の形態のコピー機では、転写ローラ１１の電流電圧特性（傾きａ）が算出され、その特性に合った転写テーブルが選択される。そして、選択された転写テーブルに基づき転写ローラ１１へ印加する転写電圧が決定される。例えば図８に示すように、転写ローラ１１の電流電圧特性がＬ１からＬ２に変化した場合において転写ローラ１１に転写電流Ｉを流す必要があるとすると、転写ローラ１１への印加電圧がＶ1からＶ2へと変更されて印加される。このため、転写ローラ１１の電流電圧特性が変化した場合であっても、転写ローラ１１に適切な転写電流を流すことができる。従って、画像劣化の少ない良好な画像が得られる。
【００３３】
なお、上記説明においては転写電圧を設定する際に、転写テーブルを使用しているが、転写テーブルを使用する（予め記憶しておく）代わりに、演算式を用いて転写電圧を算出するようにしてもよい。具体的には、転写ローラ１１の電流電圧特性（傾きａ）、検出電圧、および通紙条件に基づいて、次式により転写電圧を算出して設定すればよい。
（転写電圧）〔V〕＝（傾きａ）×（検出電流）〔μA〕
＋（Ｂ×１００／ａ）＋Ｃ〔V〕
ここで、傾きａは電流電圧特性の傾きであり、Ｂは各通紙条件に対する補正値であって、Ｃは切片である。この式によって算出される転写電圧の代表的な値を図９に示す。
【００３４】
以上、詳細に説明したように本実施の形態に係るコピー機によれば、転写ローラ１１の電流電圧特性が検出されて、その特性に合った転写テーブルが選択する。すなわち、電流電圧特性の変化が変化した場合には、その変化後の特性に合った転写テーブルが選択される。そして、選択された転写テーブルに従って通紙条件ごとに最適な転写電圧が設定される。このため、転写ローラ１１の電流電圧特性が変化した場合であっても、常に適切な転写電圧が設定されて二次転写が行われる。このことにより、転写ローラ１１には常に適切な転写電流が流れるため、良好な画像が得られる。
【００３５】
なお、本実施の形態は単なる例示にすぎず、本発明を何ら限定するものではない。従って本発明は当然に、その要旨を逸脱しない範囲内で種々の改良、変形が可能である。例えば、上記した実施の形態では、コピー機に本発明を適用した場合について説明したが、本発明はプリンタやファックス等にも適用することができる。また、本発明の転写電圧の設定制御を二次転写部１９に対して行っているが、もちろん一次転写部１８に対しても行うことができる。さらに、転写部材として転写ローラ１１を用いているが、ローラに限られず、ベルト、ドラム、ブレード、ブラシ等の接触式導電性部材を用いることもできる。
【００３６】
【発明の効果】
以上、説明した通り本発明に係る画像形成装置によれば、転写時に常に適切な転写電流を流すことができ、これにより画像劣化の少ない良好な画像を得ることができる。
【図面の簡単な説明】
【図１】実施の形態に係るコピー機の主要部の概略構成を示す図である。
【図２】二次転写部を拡大した拡大図である。
【図３】高圧電源の構成を説明するための図である。
【図４】転写電圧設定の制御内容を示すフローチャートである。
【図５】転写テーブルの一例を示す図である。
【図６】同じく、転写テーブルの一例を示す図である。
【図７】同じく、転写テーブルの一例を示す図である。
【図８】本発明に係る転写電圧設定制御の効果を説明するための図である。
【図９】演算式により算出される転写電圧の代表的な値を示す図である。
【図１０】従来の転写電圧設定制御の問題点を説明するための図である。
【符号の説明】
１０    複写用紙
１１    転写ローラ
１４    感光体ドラム
２０    高圧電源
２１    高圧トランス
２２    トランジスタ
２３    ＣＰＵ
ＳＷ    スイッチング信号
Ｉｆｂ  電流フィードバック信号
Ｖｆｂ  電圧フィードバック信号
【図１】
0004333056.tif 000002
【図２】
0004333056.tif 000003
【図３】
0004333056.tif 000004
【図４】
0004333056.tif 000005
【図５】
0004333056.tif 000006
【図６】
0004333056.tif 000007
【図７】
0004333056.tif 000008
【図８】
0004333056.tif 000009
【図９】
0004333056.tif 000010
【図１０】
0004333056.tif 000011